(57)【要約】【課題】製函が容易で解体しやすく、積み重ねたときに安定して、ずれたりすることのない包装箱を提供する。【解決手段】方形の底面板１と、底面板の周縁部より立ち上がる４つの壁面板を有し、壁面板の内の後壁面板３に天面板６を連設させた包装箱１００であって、底面板の一隅を挟んだ後壁面板３と左壁面板５の一隅寄りに上方に突き出た係止片９をそれぞれ設け、更に、一隅に対向する他の隅を挟んだ右壁面板４と前壁面板２の他の隅寄りに上方に突き出た係止片をそれぞれ設け、包装箱同士を積み重ねたときに、下の包装箱の４つの係止片の間に、上の包装箱の４つの壁面板を挟んで係止できるようにした。【選択図】図１
2015101408.tif 000002
【特許請求の範囲】
【請求項１】
方形の底面板と、該底面板の周縁部より立ち上がる４つの壁面板を有し、該壁面板の内の後壁面板に天面板を連設させた包装箱であって、
前記底面板の一隅を挟んだ２つの前記壁面板の前記一隅寄りに上方に突き出た係止片をそれぞれ設け、更に、前記一隅に対向する他の隅を挟んだ２つの前記壁面板の前記他の隅寄りに上方に突き出た係止片をそれぞれ設け、包装箱同士を積み重ねたときに、下の包装箱の前記４つの係止片の間に、上の包装箱の４つの壁面板を挟んで係止できることを特徴とする包装箱。
【請求項２】
前記天面板に差込片を連設させ、該差込片に２つの係合切れ込み部を設け、前記差込片を前壁面板の内側に差し込んだときに、前記係合切れ込み部で、前記差込片を前記前壁面板に係合できることを特徴とする請求項１に記載の包装箱。
【請求項３】
左右の前記壁面板のそれぞれの両端部に、隣接する前記壁面板の内面に貼着する貼着板を設け、前記係止片の内の前記後壁面板に設けた後壁面板係止片の下方に貼着する貼着片に保護フラップを延設し、該保護フラップが前記後壁面板係止片より大きく、前記天面板を倒して包装箱に蓋をしたときに、前記後壁面板係止片を設けるためにできた前記天面板の切り欠き部を前記保護フラップが塞ぐことを特徴とする請求項１または２に記載の包装箱。
【請求項４】
前記左右の壁面板の下端隅よりそれぞれ斜め上方に向けて折り畳み用折罫が設けられ、前記壁面板を前記底面板から立ち上げた後、前記折り畳み用折罫を折って、包装箱を平坦に折り畳めることを特徴とする請求項１から３のいずれか１項に記載の包装箱。
【発明の詳細な説明】
【技術分野】
【０００１】
本発明は、包装箱に関するものである。特に積み重ねたときに、上下の包装箱がずれないようにした包装箱に関するものである。
【背景技術】
【０００２】
ケーキやピザパイあるいはパンなどの食品類、あるいは非食品でも、包装箱に収納されるものが多くある。これらの商品の収納された包装箱は、流通でのトラック輸送や、店舗から消費者に配達、あるいは消費者が持ち帰る際に、積み重ねられて運ばれることがしばしばある。このように運ばれる場合に積み重ねた状態で、ずれにくくした包装箱が開発されている。
【０００３】
例えば、底面板の上下、左右に折罫を介してそれぞれ壁面板を連設すると共に、それら各壁面板の両側端部をそれぞれ延長するようにして底面板の四隅に連結片を、折罫を介して形成し、それら連結片に対角折罫を設けて二つ折自在とし、且つ壁面板の一つに折罫を介して蓋板を連設した組立容器がある。
【０００４】
この組立容器では、連結片の一側を壁面板の長さより長く形成して延長連結片を設け、容器を組立てた際に、その延長連結片を容器の上部に突出させ、安定よく積み重ねられるようにすることができる（特許文献１）。
【０００５】
この組立容器は、連結片が対角折罫で折り畳まれて壁面板に貼られているので、この貼り付けた箇所では、３枚の構造基材が貼り合わされた構造となっている。このような組立容器は、保水性や防水性に優れているが、製函の難易度が高く、解体も難しいといった問題があった。
【０００６】
公知文献を以下に示す。
【先行技術文献】
【特許文献】
【０００７】
【特許文献１】実公平８−８９８２号公報
【発明の概要】
【発明が解決しようとする課題】
【０００８】
本発明は上記した事情に鑑みてなされたもので、製函が容易で解体しやすく、積み重ねたときに安定して、ずれたりすることのない包装箱を提供することを課題としている。
【課題を解決するための手段】
【０００９】
本発明は係る課題に鑑みなされたものであり、請求項１の発明は、方形の底面板と、該底面板の周縁部より立ち上がる４つの壁面板を有し、該壁面板の内の後壁面板に天面板を連設させた包装箱であって、
前記底面板の一隅を挟んだ２つの前記壁面板の前記一隅寄りに上方に突き出た係止片をそれぞれ設け、更に、前記一隅に対向する他の隅を挟んだ２つの前記壁面板の前記他の隅寄りに上方に突き出た係止片をそれぞれ設け、包装箱同士を積み重ねたときに、下の包装箱の前記４つの係止片の間に、上の包装箱の４つの壁面板を挟んで係止できることを特徴とする包装箱である。
【００１０】
本発明の包装袋は、以上のような構成であって、係止片が、底面板と４つの壁面板から
なる箱本体の対向する２つの隅で、その隅を挟んだ壁面板にそれぞれの隅寄りに上方に向けて設けられているので、積み重ねたときに安定して、ずれたりすることがない。また構造も簡単であり、製函が容易で解体もしやすい。
【００１１】
また、後壁面板に天面板が連設されているので、天面板を持ち上げて容易に中身を取り出すことができる。更には、係止片は必ず、前壁面板にも設けられ、前面から見えるようになるので、店舗で陳列するときに、係止片にＰＯＰの役割を持たせ、美粧な表面加飾を施してアイキャッチ効果を得ることができる。
【００１２】
本発明の請求項２の発明は、前記天面板に差込片を連設させ、該差込片に２つの係合切れ込み部を設け、前記差込片を前壁面板の内側に差し込んだときに、前記係合切れ込み部で、前記差込片を前記前壁面板に係合できることを特徴とする請求項１に記載の包装箱である。
【００１３】
本発明は、天面板に差込片を連設させ、差込片に２つの係合切れ込み部を設けてあるので、差込片を前壁面板の内側に差し込んだときに、２つの係合切れ込み部の間を前壁面板の外に出して、前壁面板を挟むようにして係合させ、蓋をした状態を簡易的にロックすることができる。
【００１４】
本発明の請求項３の発明は、左右の前記壁面板のそれぞれの両端部に、隣接する前記壁面板の内面に貼着する貼着板を設け、前記係止片の内の前記後壁面板に設けた後壁面板係止片の下方に貼着する貼着片に保護フラップを延設し、該保護フラップが前記後壁面板係止片より大きく、前記天面板を倒して包装箱に蓋をしたときに、前記後壁面板係止片を設けるためにできた前記天面板の切り欠き部を前記保護フラップが塞ぐことを特徴とする請求項１または２に記載の包装箱である。
【００１５】
本発明は、後壁面板係止片を設けるためにできた天面板の切り欠き部を、天面板を倒して包装箱に蓋をしたときに、保護フラップが塞ぐようにしてあるので、ごみなどの混入を避けることができる。
【００１６】
本発明の請求項４の発明は、前記左右の壁面板の下端隅よりそれぞれ斜め上方に向けて折り畳み用折罫が設けられ、前記壁面板を前記底面板から立ち上げた後、前記折り畳み用折罫を折って、包装箱を平坦に折り畳めることを特徴とする請求項１から３のいずれか１項に記載の包装箱である。
【００１７】
本発明は、折り畳み用折罫が設けてあるので、壁面板を前記底面板から立ち上げた後、折り畳み用折罫を折って平坦に折り畳むことができ、内容物を収納する前の輸送や保管にスペースをとることがなく、邪魔にならず、コスト的にも有利である。
【発明の効果】
【００１８】
本発明の包装箱は、構造が簡単であるので製函が容易で解体しやすく、積み重ねたときに安定して積み重ねられた上下の包装箱がずれることがない。
【図面の簡単な説明】
【００１９】
【図１】本発明の包装箱の一例の展開図である。
【図２】本発明の包装箱の一例の開いた状態を模式的に斜視で示した説明図である。
【図３】本発明の包装箱の一例の閉まった状態を模式的に斜視で示した説明図である。
【図４】本発明の包装箱の一例の積み重ねた状態を模式的に斜視で示した説明図である。
【発明を実施するための形態】
【００２０】
以下、本発明を実施するための形態につき説明する。
図１は、本発明の包装箱の一例の展開図である（尚、包装箱の外側になる面から見た図である）。
【００２１】
本例の包装箱１００のブランクは、図１の展開図に示すように、底面板１と、底面板１の前後にそれぞれ対向する前壁面板２と後壁面板３と、底面板１の左右にそれぞれ対向する右壁面板４と左壁面板５とからなる４つの壁面板を設け、底面板１の周縁部より立ち上がるようにしている。
【００２２】
後壁面板３には天面板６と差込片７が連設されている。そして、差込片７には、２つの係合切れ込み部８を左右に設けている。
【００２３】
また、前壁面板２と後壁面板３と右壁面板４と左壁面板５の壁面板には、積み重ねたときに、上部の包装箱がずれないようにするため、壁面板が立ち上がったとき上方に突き出すように係止片９が設けられている。
【００２４】
係止片９は底面板１の一隅を挟んだ２つの後壁面板３と左壁面板５の前記一隅寄りに設け、更に、前記一隅に対向する他の隅を挟んだ２つの右壁面板４と前壁面板２の前記他の隅寄りに設けられている。
【００２５】
右壁面板４と左壁面板５のそれぞれの両端部（図の上下端）に、隣接する前壁面板２あるいは後壁面板３の内面に貼着するための貼着板１０が設けられている。製函するときに、この貼着板１０を貼着することによって、底面板１の周縁部より前壁面板２、後壁面板３、右壁面板４と左壁面板５を立ち上がるようにし、包装箱１００を立体にするようになっている。
【００２６】
係止片９の内の後壁面板３に設けた後壁面板係止片９ａの下方に貼着する、左壁面板５に設けた貼着片１０ａに保護フラップ１１が延設されている。保護フラップ１１は、後壁面板係止片９ａより大きく設けられている。
【００２７】
このため、天面板６を倒して包装箱１００に蓋をしたときに、後壁面板係止片９ａを設けるためにできた天面板６の切り欠き部１２を保護フラップ１１で塞ぐようになり、ごみなどの混入を防ぐことができる。
【００２８】
右壁面板４と左壁面板５には、製函後折り畳めるように、折り畳み用折罫１３が設けられている。この折り畳み用折罫１３を折ることによって、製函後も平坦に折り畳むことができ、内容物を収納する前の輸送や保管を、スペースをとることなく、行うことができるようになっている。
【００２９】
図２は、本発明の包装箱の一例の開いた状態を模式的に斜視で示した説明図である。
図３は、本発明の包装箱の一例の閉まった状態を模式的に斜視で示した説明図である。
【００３０】
ブランクから包装箱１００を製函するには、右壁面板４、左壁面板５の貼着板１０をそれぞれ内方に折り、次に、前壁面板２、後壁面板３、右壁面板４、左壁面板５を、それぞれ、底面板１と垂直になるように立ち上げる。そして、前壁面板２あるいは後壁面板３の内面に貼着板１０を貼着する。
【００３１】
これにより、図２のように、包装箱１００の身の部分が製函される。そして、図３のように、天面板６を底面板１の上方に倒し、差込片７を前壁面板２の内側に差し込み、差込片７の２つの係合切れ込み部８の間の部分を外側に出すようにする。これにより、前壁面
板２が係合切れ込み部８の間の部分と外側の部分で挟まれ、蓋をした状態が簡易的にロックされる。
【００３２】
また、後壁面板係止片９ａを設けるためにできた天面板６の切り欠き部１２は、貼着片１０ａに延設した保護フラップ１１により塞がれる。このため保護フラップ１１は後壁面板係止片９ａより大きく形成されていて、切り欠き部１２を完全に塞げるようになっている。このため、
そして、包装箱１００の対向する２つの隅、本例では、後壁面板３と左壁面板５の間の隅と、前壁面板２と右壁面板４の間の隅を挟むように、係止片９がそれぞれ設けられ、上方に突き出ている。
【００３３】
図４は、本発明の包装箱の一例の積み重ねた状態を模式的に斜視で示した説明図である。
【００３４】
上記のように、係止片９が対向する２つの隅に、この隅を挟むように設けられているので、図４のように、包装箱１００を重ね合わせると、下の包装箱の係止片９が、上の包装箱の対向する２つの隅を固定するようになるので安定して、積み重ねられた上下の包装箱がずれたりすることがない。また、構造が簡単であるので製函が容易で解体もしやすい。
【００３５】
また、係止片９は、上方に突き出ているので、店舗で陳列するときに、ＰＯＰとして美粧な表面加飾を加えて、アイキャッチ効果を得ることもできる。特に前壁面板に設けられた係止片は前面から良く見えるので特に効果が期待できる。
【符号の説明】
【００３６】
１００・・・包装箱
１・・・底面板
２・・・前壁面板
３・・・後壁面板
４・・・右壁面板
５・・・左壁面板
６・・・天面板
７・・・差込片
８・・・係合切れ込み部
９・・・係止片
９ａ・・・後壁面板係止片
１０、１０ａ・・・貼着片
１１・・・保護フラップ
１２・・・切り欠き部
１３・・・折り畳み用折罫
【図１】
2015101408.tif 000003
【図２】
2015101408.tif 000004
【図３】
2015101408.tif 000005
【図４】
2015101408.tif 000006